(57)【要約】【課題】球状シエルの破損を防止できる球状蓄熱体を提供するにある。【解決手段】ソケット４を球状シエル２の外周面２ａより突出させることなく、逆に蓄熱剤充填空間７内に向けて突出させてシエル２に形成し、そこに封止するプラグ５の頂面６もシエル２の外周面２ａより突出させないようにする。【選択図】    図２
2004245504.tif 000002
【特許請求の範囲】
【請求項１】
内部に蓄熱剤充填空間７を有するように球状に形成されたシエル２と、このシエル２に設けられたソケット４と、そのソケット４を封止するプラグ５より成り、上記ソケット４から蓄熱剤３を蓄熱剤充填空間７内に充填した後上記プラグ５によってソケット４を封止して成る球状蓄熱体に於いて、上記ソケット４をシエル２の外周面２ａより突出させることなく、蓄熱剤充填空間７内に突出させると共に、上記プラグ５も、その頂面６がシエル２の外周面２ａより突出しないようにして上記ソケット４に封止されていることを特徴とする球状蓄熱体。
【請求項２】
上記プラグ５の頂面６がシエル２の外周面２ａからへこんだ位置になるようにプラグ５がソケット４に封止されていることを特徴とする請求項１記載の球状蓄熱体。
【請求項３】
上記プラグ５の頂面６がシエル２の外周面２ａと同一面になるようにプラグ５がソケット４に封止されていることを特徴とする請求項１記載の球状蓄熱体。
【請求項４】
上記プラグ５が、ソケット４に対して嵌合していることにより、ソケット４を封止していることを特徴とする請求項１，２，３何れか一項記載の球状蓄熱体。
【請求項５】
上記プラグ５がソケット４に対して融着一体化していることにより、ソケット４を封止していることを特徴とする請求項１，２，３何れか一項記載の球状蓄熱体。
【発明の詳細な説明】
【０００１】
【発明の属する技術分野】
本発明は球状蓄熱体に係わり、更に詳しくは球状蓄熱体のシエルに於けるソケットとプラグに関する。
【０００２】
【従来の技術】
周知の通り、球状蓄熱体は知られており、その一例を図８に示すと、内部に蓄熱剤充填空間を有するように球状に形成されたシエル１２と、このシエル１２に設けられたソケット１４（ノズルともいう。）と、そのソケット１４を封止するプラグ１５（蓋ともいう。）より成り、上記ソケット１４から蓄熱剤１３を蓄熱剤充填空間内に充填した後、上記プラグ１５によってソケット１４を封止して成る球状蓄熱体１１を上げることができる。
【０００３】
上記の如き従来技術としては特開昭５９−７８８８号に示された蓄熱材容器がある。
【０００４】
上記従来技術のシエルに於けるソケット１４とプラグ１５の構造をみてみると、ソケット１４をシエル１２の外周面１２ａ上に突出させ、その突出したソケット１４にプラグ１５を封止した構造か、又はソケット１４をシエル１２の内外周面１２ｂ，１２ａ間に形成し、そのソケット１４にプラグ１５を封止した構造である。以上の何れの場合でもプラグ１５の頂面１６がシエル１２の外周面１２ａの外に突出した構造となっている。
つまり、プラグ１５の頂面１６は外周面１２ａから突出Ｔしている。
【０００５】
【発明が解決しようとする課題】
上記従来技術によると、この球状蓄熱体１１を蓄熱システムを構成する蓄熱槽中に多数個充填した場合、図９に示すようにある一つの球状蓄熱体と、他の横隣りの球状蓄熱体（例えば、符号１１ｂの球状蓄熱体と１１ｄの球状蓄熱体又は１１ａの球状蓄熱体と１１ｃの球状蓄熱体）が互いにシエル１２を接っして蓄熱槽内に充填されていることの他に、ある一つの球状蓄熱体のプラグ１５の頂面１６に対して、他の球状蓄熱体のシエル１２の外周面１２ａが接っして蓄熱槽内に充填される場合がある。（例えば符号１１ａの球状蓄熱体と１１ｂの球状蓄熱体又は１１ｃの球状蓄熱体と１１ｄの球状蓄熱体）これを更によりよくみてみると、一つの球状蓄熱体１１ｂのシエル１２が他の球状蓄熱体１１ａのプラグ１５の頂面１６の平坦な面に当接支持されていることもあるが、一つの球状蓄熱体１１ｄのシエル１２が他の球状蓄熱体１１のプラグ１５のエッジに当接支持されてしまうこともある。
【０００６】
上記の如き場合、蓄熱槽内に多数個の球状シエルが充填されているので、一つ一つの球状シエルには大きな荷重がかかることから、隣りの球状蓄熱体のシエルのプラグの頂面にシエル外周面が当っている球状蓄熱体は、そのシエルが長期の使用の間に破損するおそれがあった。
又、各球状蓄熱体のプラグ部分がシエル外周面から外方へ突出しているので、蓄熱槽内に多数個充填する場合には、その分だけ球状蓄熱体の充填率が低下するおそれがあった。
【０００７】
【目的】
従って本発明の目的とするところは、蓄熱槽内に多数個の球状蓄熱体を充填した場合に、１つの球状蓄熱体のシエルのプラグのエッジに、それに対して隣り合う球状蓄熱体のシエルが当った態様で積み重ねられ、充填されることがなく、球状シエルの長期の使用によっても破損のない球状蓄熱体を提供するにあり、更には多数個を充填した場合に、充填効率を向上できる球状蓄熱体を提供するにある。
【０００８】
【課題を解決する為の手段】
上記目的を達成する為に、本発明は次の技術的手段を有する。即ち、本願の請求項１記載の発明は、内部に蓄熱剤充填空間を有するように球状に形成されたシエルと、このシエルに設けられたソケットと、そのソケットを封止するプラグより成り、上記ソケットから蓄熱剤を蓄熱剤充填空間内に充填した後上記プラグによってソケットを封止して成る球状蓄熱体に於いて、上記ソケットをシエルの外周面より突出させることなく、蓄熱剤充填空間内に突出させると共に、上記プラグも、その頂面がシエル２の外周面より突出しないようにして上記ソケットに封止されていることを特徴とする球状蓄熱体である。
【０００９】
又請求項２の発明は、上記プラグの頂面がシエルの外周面からへこんだ位置になるようにプラグがソケットに封止されていることを特徴とする請求項１記載の球状蓄熱体である。
【００１０】
更に請求項３の発明は、上記プラグの頂面がシエルの外周面と同一面になるようにプラグがソケットに封止されていることを特徴とする請求項１記載の球状蓄熱体である。
【００１１】
加えて請求項４の発明は、上記プラグが、ソケットに対して嵌合していることにより、ソケットを封止していることを特徴とする請求項１，２，３何れか一項記載の球状蓄熱体である。
【００１２】
そして請求項５の発明は、上記プラグがソケットに対して融着一体化していることにより、ソケットを封止していることを特徴とする請求項１，２，３何れか一項記載の球状蓄熱体である。
【００１３】
【作用】
上記構成によるとプラグの頂面が外周面より外方に突出していない。従って蓄熱槽内に充填されている球状蓄熱体に着目すると隣接する球状蓄熱体の一方と他方は、シエルの外周面同志で接っするか、シエルと外周面と同面上のプラグの頂面と接っするが、シエルとへこんでいるプラグの頂面の、そのへこんでいる回りと接っするか…なので、一方のシエルが他方のシエルのプラグのエッジ又は突出した態様のプラグの頂面に当ることがない。
【００１４】
【発明の実施の形態】
次に添付図面に従い本発明の実施の形態を詳細に説明する。
先ず図１〜４に従い第一の実施の形態を説明する。
１は球状蓄熱体全体を示し、これは球状シエル２とその中に充填された蓄熱剤３により構成されている。
上記蓄熱剤３としては種々のものを用いることができるが、潜熱蓄熱剤を用いる場合には、温熱を対象とする場合には固相状態で顕熱として熱を蓄熱し、次に固相から液相に変わる時に、融解の潜熱として多量の熱を蓄熱し、完全に液相に変化すると、更に顕熱として熱を蓄熱し、更に高温の液相状態から凝固温度までは通常に顕熱を放出し、凝固温度に於いては、先に融解の潜熱として蓄熱した熱を、固化の潜熱として放出し、又冷熱を対象とする場合には、一定温度で液相から固相に変わる時に固化の潜熱として蓄積し、固相から液相に変わる時に、融解の潜熱として放出するものであり、液相から固相へ変化した時に体積膨張するものであり、例えば次のようなものがある。
即ち、従来公知の塩化マグネシウム（ＭｇＣｌ２）、
塩化ナトリウム（ＮａＣｌ）、苛性ソーダ（ＮａＯＨ）、塩化カルシウム６水塩（ＣａＣｌ２、６Ｈ２Ｏ）、炭酸ナトリウム１０水塩（Ｎａ２ＣＯ３・１０Ｈ２Ｏ）等の水溶液である。
【００１５】
この球状シエル２には、ソケット４が形成され、このソケット４から上記蓄熱剤３が内部の蓄熱剤充填空間７内に充填されて、プラグ５が封止せられる。
さて、このソケット４に着目すると、ソケット４は、シエル２の外周面２ａ側に突出することなく、内周面２ｂ側から蓄熱剤充填空間７に向けて突出して形成されている。従ってソケット４はシエル２の外周面２ａ上に突出しない。
【００１６】
そして、このソケット４を通して蓄熱剤充填空間７内に蓄熱剤３を充填した後にプラグ５をソケット４に嵌合してソケット４を封止するものであるが、プラグ５の頂面６がシエル２の外周面２ａから突出しないようにするものである。この実施形態では、シエル２の外周面２ａより、深さｈだけ下がった位置にプラグ５の頂面６が位置しているので、シエル２の外周面はプラグ５の位置で僅かにへこんだ形を呈している。
【００１７】
このような構成によると、図４に示すように多数個の球状蓄熱体１ａ，１ｂ，１ｃ，１ｄ…を蓄熱槽内に充填し、積み重ねたとしても、例えば１つの球状蓄熱体１ａ又は１ｃとその上に重ねられたもう１つの球状蓄熱体１ｂ又は１ｄとの関係にみられるように、１つの球状蓄熱体のシエル２の外周面２ａが他方の球状蓄熱体のシエルのプラグ５の頂面６に当ることがない。これは、隣り合うどの球状蓄熱体の関係でも同じことがいえるものである。
従って、蓄熱槽内に多数個の球状蓄熱体を充填し、積み重ねても、そして長期に渡って使用しても各球状蓄熱体のシエル２が破損するおそれはないものである。
【００１８】
図５、図６は本発明の第二の実施形態を示したもので、第一の実施形態と同一の部所は同一の符号を附し、説明を省略する。
この実施形態では、シエル２の内周面２ｂから蓄熱剤充填空間７に向けて突出して形成したソケット４に嵌合したプラグ５の頂面６を矢示Ｓに示すように外周面２ａと同一面上にしたものである。
【００１９】
このような構成によると、図６に示すように、蓄熱槽内に多数個の球状蓄熱体を充填した場合、１つの球状蓄熱体１ａ又は１ｄとその上に位置する他の球状蓄熱体１ｂ又は１ｃとの関係にみられるように１つの球状蓄熱体のシエル２の外周面２ａが他の球状蓄熱体のシエル２のプラグ５の頂面６に接っすることがあっても、プラグ５の頂面６は外周面２ａと同一面に形成されていて、あたかも外周面２ａのようになっているので、１つのシエル２の外周面２ａが他のシエル２のプラグ５の頂面６のエッジに当るようなことがない。
従って、各球状蓄熱体のシエル２の破損を招くおそれがない。
【００２０】
ところで上記二つの実施形態ではソケット４に対してプラグ５を嵌合することによってプラグ５をソケット４に封止する例を示したが、ソケット４とプラグ５を一体融着化してもよいものである。
【００２１】
更に図７は本発明に係る球状蓄熱体１の第三の実施形態を示したもので、この図示の例のように、プラグ６が嵌合又は融着されるソケット４の肩部８に関し、肩部８を湾曲させた（丸めた）形状にしたものである。この場合でも、その丸めた曲率の大小に係わらずシエル２の外周面２ａより、深さｈだけ下がった位置にプラグ５の頂面６が位置しているので、シエル２の外周面はプラグ５の位置で僅かにへこんだ形を呈する。
従って多数の球状蓄熱体を蓄熱槽内に充填しても、隣接するシエルがプラグ５の頂面６のエッジに当たることがない。図示の例では隣接する球状蓄熱体に符号１ｂを附して示してある。
【００２２】
【効果】
以上詳述した如く本発明によれば、蓄熱槽内に多数個の球状蓄熱体を充填した場合に、１つの球状蓄熱体のシエルのプラグのエッジに、それに対して隣り合う球状蓄熱体のシエルが当った態様で積み重ねられ、充填されることがなく、球状シエルの長期の使用によっても破損のない球状蓄熱体を提供でき、更には多数個を充填した場合に、充填効率を向上できる球状蓄熱体を提供できる。
【図面の簡単な説明】
【図１】本発明の第一の実施形態に係る球状蓄熱体のシエルの平面図。
【図２】図１の２−２線に沿う断面図。
【図３】図１及び図２に示した第一の実施形態に係る球状蓄熱体のソケット及びプラグ部分の拡大断面図。
【図４】図１及び図２に示した第一の実施形態に係る球状蓄熱体の蓄熱槽内に於ける充填態様の一例を示す図。
【図５】本発明の第二の実施形態に係る球状蓄熱体を示す図２と同様の断面図。
【図６】図５に示した第二の実施形態に係る球状蓄熱体の蓄熱槽内に於ける充填態様の一例を示す図。
【図７】本発明の第三の実施形態に係る球状蓄熱体を示す断面図。
【図８】従来の球状蓄熱体を示す断面図。
【図９】従来の球状蓄熱体の蓄熱槽内に於ける充填態様を示す図。
【符号の説明】
１，１ａ，１ｂ，１ｃ，１ｄ    球状蓄熱体
２        球状のシエル
２ａ      シエルの外周面
２ｂ      シエルの内周面
３        蓄熱剤
４        ソケット
５        プラグ
６        プラグ頂面
７        蓄熱剤充填空間
【図１】
2004245504.tif 000003
【図２】
2004245504.tif 000004
【図３】
2004245504.tif 000005
【図４】
2004245504.tif 000006
【図５】
2004245504.tif 000007
【図６】
2004245504.tif 000008
【図７】
2004245504.tif 000009
【図８】
2004245504.tif 000010
【図９】
2004245504.tif 000011